(57)【特許請求の範囲】
【請求項１】
上から順に冷蔵室、野菜室、冷凍室を備えた冷凍冷蔵庫において、前記冷蔵室内に設けられた氷を作る製氷室と、冷蔵室専用に設けられた冷却器により前記製氷室温度を低温に保つ制御機能とを備え、前記製氷室温度を低温に保つ制御機能は、製氷室への冷気流量を冷蔵室と独立して制御可能な製氷室用空気流量調整器となっていることを特徴とする冷凍冷蔵庫。
【請求項２】
製氷室に、製氷皿に冷気を集中して浴びせる冷気ダクトを有することを特徴とする請求項１記載の冷凍冷蔵庫。
【請求項３】
製氷室に、製氷皿専用の冷却器を有することを特徴とする請求項１記載の冷凍冷蔵庫。
【請求項４】
製氷室に、冷蔵室の雰囲気温度と同等温度の空気を製氷皿の上面に送り込む制御手段を備えていることを特徴とする請求項３記載の冷凍冷蔵庫。
【請求項５】
製氷終了後、氷をストックする貯氷ケースが設けられる前記製氷室内温度と冷蔵室内温度とほぼ同等に制御する温度制御手段と、氷の融解水を排出する排出手段を備えていることを特徴とする請求項１記載の冷凍冷蔵庫。
【請求項６】
冷蔵室の仕切壁に、製氷用給水タンクを設置するタンク収納部を設けることを特徴とする請求項１記載の冷凍冷蔵庫。
【請求項７】
製氷室は、冷蔵室専用の冷却器からの冷気で氷を作ることを特徴とする請求項１記載の冷凍冷蔵庫。
【請求項８】
製氷室を囲う壁面を、冷蔵室の壁面の断熱性能より低い材質で形成することを特徴とする請求項１記載の冷凍冷蔵庫。
【請求項９】
製氷室を囲う壁面と、冷蔵室の壁面との間に冷蔵室冷気と連通する隙間を設けることを特徴とする請求項１記載の冷凍冷蔵庫。
【請求項１０】
１つの冷却器からの冷気を、第１のファンによって冷蔵室に、第２のファンによって製氷室へそれぞれ送り込む送風経路を有し、両送風経路の分岐点を、冷却器と両ファンとの間に設けることを特徴とする請求項１記載の冷凍冷蔵庫。
【請求項１１】
上部に冷蔵室を、この冷蔵室の下方に冷凍室を有する冷蔵庫において、前記冷蔵室の内部に製氷室を設け、その製氷室の製氷皿に、製氷状態を検知する代表温度検知装置を設け、代表温度検知装置で検知した検知温度が０℃に近い温度に達した時点で、製氷室へ冷気を送風するファンの風速を増加させることを特徴とする冷凍冷蔵庫。
【請求項１２】
上部に冷蔵室を、この冷蔵室の下方に冷凍室を有する冷蔵庫において、前記冷蔵室の内部に製氷室を設け、その製氷室の製氷皿に、製氷状態を検知する代表温度検知装置を設け、代表温度検知装置で検知した検知温度が０℃に近い温度に達し、かつ所定の時間経過後に、製氷室へ冷気を送風するファンの風速を増加させることを特徴とする冷凍冷蔵庫。
【請求項１３】
上部に冷蔵室を、この冷蔵室の下方に冷凍室を有する冷蔵庫において、前記冷蔵室の内部に製氷室を設け、その製氷室の製氷皿に、製氷状態を検知する代表温度検知装置を設け、代表温度検知装置で検知した検知温度が０℃に近い温度に達した後、単位時間あたりの温度変化幅が所定の値より小さくなった時点で、製氷室へ冷気を送風するファンの風速を増加させることを特徴とする冷凍冷蔵庫。
【請求項１４】
冷蔵室の内部にある製氷室の製氷皿の底面に、この底面に沿って冷気を案内するための冷気案内板を設けてなることを特徴とする請求項１１，１２，１３のいずれかに記載の冷凍冷蔵庫。
【請求項１５】
冷気案内板は、製氷皿に多くとも２箇所の連結部材で取付けられることを特徴とする請求項１１，１２，１３のいずれかに記載の冷凍冷蔵庫。
【請求項１６】
製氷室に、冷却器からの冷気を、製氷皿の側方へ向かって導く冷気ダクトを設けることを特徴とする請求項１１，１２，１３のいずれかに記載の冷凍冷蔵庫。
【請求項１７】
冷気ダクトは、製氷皿の上面と下面へ向けて開口する吹出口を設けてなることを特徴とする請求項１６記載の冷凍冷蔵庫。
【請求項１８】
冷気ダクトに設けられた吹出口は風上側から風下側へ向かって流路断面積が順次、小さくなることを特徴とする請求項１７に記載の冷凍冷蔵庫。
【発明の詳細な説明】
【０００１】
【発明の属する技術分野】
この発明は、冷蔵室内に氷を作る製氷室を有する冷凍冷蔵庫に関する。
【０００２】
【従来の技術】
一般に、冷蔵庫にあっては、庫内が冷蔵室のみの１ドアタイプの外に、庫内が複数に仕切られた複数のドアを有するタイプが知られており、現在は後者が主流となっている。
【０００３】
複数のドアを有するタイプの冷蔵庫にあっては、目的にあった食料品等の冷凍保存ができるよう冷蔵用、冷凍用、野菜用にそれぞれ分けられており、目的にあった多量の食料品の保存が可能となる。
【０００４】
【発明が解決しようとする課題】
冷蔵用、冷凍用、野菜用に分けられた冷蔵庫の各庫内は、１ドアタイプの冷蔵庫に比べて多量の食料品等を目的の場所に保存できるようになっており、冷凍室には冷凍食品が、野菜室には野菜類が、冷蔵室には食料品、ジュース等の飲み物、類がそれぞれ専用に保存可能となる。
【０００５】
冷蔵室は、野菜室と比較的近い温度帯にあるため、ほぼ同一の使用目的が可能であるが、冷凍室は大きな温度差があるため、使用目的が全く異なり、冷凍室のみ独立した使用となる。
【０００６】
冷蔵室は、保存に適する温度帯になっている所から、利用頻度が一番多いのが現状であり、冷凍室の機能が同時に得られると便利である。
【０００７】
しかしながら、現状では冷蔵室と冷凍室とは独立しているため、夏場において、ジュース、むぎ茶等の飲み物を冷蔵室から取り出した後、次に、冷凍室の扉をあけて氷を取り出す所から、使い勝手の面で不満が残る。
【０００８】
そこで、この発明は、独立した冷凍室の外に、冷蔵室内に効率のよい製氷機能を備えた製氷室を設けることで、使い勝手のよい冷蔵庫を提供することを目的としている。
【０００９】
【課題を解決するための手段】
前記目的を達成するために、この発明の請求項１にあっては、上から順に冷蔵室、野菜室、冷凍室を備えた冷凍冷蔵庫において、前記冷蔵室内に設けられた氷を作る製氷室をと、冷蔵室専用に設けられた冷却器により前記製氷室温度を低温に保つ制御機能とを備え、前記製氷室温度を低温に保つ制御機能を、製氷室への冷気流量を冷蔵室と独立して制御可能な製氷室用空気流量調整器としてある。
【００１０】
これにより、冷蔵室内に、低温の製氷温度に保たれた製氷室が作られるようになる。また、冷蔵室の扉を開けることで、例えば、冷蔵室の飲み物と一緒に、飲み物の中へ入れる氷を一緒に取出すことができるため使い勝手がよくなると共に、製氷室用空気流量調整器で冷気流量を制御することで、冷蔵室に温度影響を与えることなく製氷室に対して独立した低温の冷気を効率よく供給出来るため、一つの庫内で温度帯の異なる冷蔵室としてあるいは冷凍室としてそれぞれ同時に使用することが可能となる。
【００１３】
また、この発明の請求項２にあっては、製氷室に、製氷皿に冷気を集中して浴びせる冷気ダクトを有する。
【００１４】
これにより、製氷皿は集中して冷気を受けるので、速やかに氷を作ることができる。
【００１５】
また、この発明の請求項３にあっては、製氷室に、製氷皿専用の冷却器を有する。
【００１６】
これにより、製氷皿は製氷室に設けた専用の冷却器により冷やされるので、製氷時間が速く、かつ新鮮な氷を作ることができる。
【００１７】
また、この発明の請求項４にあっては、製氷室に、冷蔵室の雰囲気温度と同等温度の空気を製氷皿の上面に送り込む制御手段を備える。
【００１８】
これにより、製氷皿は、見ためにもよい透明な氷を作ることができる。
【００１９】
また、この発明の請求項５にあっては、製氷終了後、氷がストックされる貯氷ケースが設けられる製氷室内温度と冷蔵室内温度とほぼ同等に制御する温度制御手段と、氷の融解水を排出する排出手段を備えるようにする。
【００２０】
これにより、氷の表面をゆっくりと溶かして出来上がった氷同志の接触面を常時融解させて、離氷性の良い氷が得られる。また、溶けた水は迅速に排出して捨てることができる。
【００２１】
また、この発明の請求項６にあっては、冷蔵室の仕切壁に、製氷用給水タンクを設置するタンク収納部を設ける。
【００２２】
これにより、給水タンクのスペースを冷蔵室壁面に確保したので容積効率が向上する。また、冷蔵室と同じ雰囲気内に設置できるため、給水タンク内の水の凍結がなくなると共に、製氷室の製氷皿に対して近い位置にあるため、配管が容易となり、水の供給が効率よく行なえる。
【００２７】
また、この発明の請求項７にあっては、製氷室を、冷蔵室専用の冷却器からの冷気で氷を作る。
【００２８】
これにより、効率良く氷を作ることができる。
【００２９】
また、この発明の請求項８にあっては、製氷室を囲う壁面を、冷蔵室の壁面の断熱性能より低い材質で形成する。
【００３０】
これにより、製氷室を囲う壁面は、外気温の影響も直接受けることがないため、断熱性能が低い材質を用いても充分な断熱が得られると共に、壁面を薄い材料を用いた場合は製氷室内を広く確保することが出来る。
【００３１】
また、この発明の請求項９にあっては、製氷室を囲う壁面と、冷蔵室の壁面との間に冷蔵室冷気と連通する隙間を設ける。
【００３２】
これにより、製氷室外周に空気層が形成されるので、外気温の影響を直接受けることがなくなり、一層断熱性能が向上して効率のよい製氷室が得られる。
【００３３】
また、この発明の請求項１０にあっては、１つの冷却器からの冷気を、第１のファンによって冷蔵室に、第２のファンによって製氷室へそれぞれ送り込む送風経路を有し、両送風経路の分岐点を、冷却器と両ファンとの間に設ける。
【００３４】
これにより、冷却器からの冷気を効率よく、かつ、無駄なく冷蔵室と製氷室へそれぞれ送り込むことができる。
【００３５】
また、この発明の請求項１１にあっては、上部に冷蔵室を、この冷蔵室の下部に冷凍室を有する冷蔵庫において、前記冷蔵室の内部に製氷室を設け、その製氷室の製氷皿に、製氷状態を検知する代表温度検知装置を設け、代表温度検知装置で検知した検知温度が０℃に近い温度に達した時点で、製氷室へ冷気を送風するファンの風速を増加させる。
【００３６】
これにより、冷蔵室内に製氷室が配置されるため使い勝手がよくなると共に、製氷室で作られる氷は、表面の製氷が進んだ後に、ファンの風速を増加させているので、ファンによる風の影響を受けることがなくなり、波打ちのない表面が平らな氷が素早く得られる。
【００３７】
また、この発明の請求項１２にあっては、上部に冷蔵室を、この冷蔵室の下部に冷凍室を有する冷蔵庫において、前記冷蔵室の内部に製氷室を設け、その製氷室の製氷皿に、製氷状態を検知する代表温度検知装置を設け、代表温度検知装置で検知した検知温度が０℃に近い温度に達し、かつ、所定の時間経過後に、製氷室へ冷気を送風するファンの風速を増加させる。
【００３８】
これにより、冷蔵室内に製氷室が配置されるため使い勝手がよくなると共に、製氷室で作られる氷は、表面の製氷が進んだ後に、フアンの風速を増加させているので、ファンによる風の影響を受けることがなくなり、波打ちのない表面が平らな氷が素早く得られる。
【００３９】
また、この発明の請求項１３にあっては、上部に冷蔵室を、この冷蔵室の下部に冷凍室を有する冷蔵庫において、前記冷蔵室の内部に製氷室を設け、その製氷室の製氷皿に、製氷状態を検知する代表温度検知装置を設け、代表温度検知装置で検知した検知温度が０℃に近い温度に達した後、単位時間あたりの温度変化幅が所定の値より小さくなった時点で、製氷室へ冷気を送風するファンの風速を増加させる。
【００４０】
これにより、冷蔵室内に製氷室が配置されるため使い勝手がよくなると共に、製氷室で作られる氷は、表面の製氷が進んだ後に、ファンの風速を増加させているので、ファンによる風の影響を受けることがなくなり、波打ちのない表面が平らな氷が素早く得られる。
【００４１】
また、この発明の請求項１４にあっては、冷蔵室の内部にある製氷室の製氷皿の底面に、この底面に沿って冷気を案内するための冷気案内板を設ける。
【００４２】
これにより、冷気は製氷皿の底面に沿って確実に流れるようになり、効率よく氷を作ることができる。
【００４３】
また、この発明の請求項１５にあっては、冷気案内板を、製氷皿に多くとも２箇所の連結部材で取付ける。
【００４４】
これにより、製氷皿の底面へ冷気を案内する冷気案内板を確実に保持することができる。
【００４５】
また、この発明の請求項１７にあっては、製氷室に、冷却器からの冷気を、製氷皿の側方へ向かって誘導する冷気ダクトを設ける。
【００４６】
これにより、製氷皿には、全領域にわたってほぼ均等に冷気が当たるので、製氷は全体に偏りがなく進行し、迅速に氷を作ることができる。
【００４７】
また、この発明の請求項１８にあっては、冷気ダクトを、製氷皿の上面と下面へ向けて開口する吹出口を設けている。
【００４８】
これにより、製氷皿の上面及び下面の全領域にわたってほぼ均一に冷気が当り、迅速に氷を作ることができる。
【００４９】
また、この発明の請求項１９にあっては、冷気ダクトに設けられた吹出口は風上側から風下側へ向かって流路断面積を順次小さくする。
【００５０】
これにより、製氷皿の全領域に対して温度差・送風差を無くして冷風をほぼ均一に当てることができる。
【００５１】
【発明の実施の形態】
以下、図１乃至図３の図面を参照しながらこの発明の第１の実施形態について具体的に説明する。
【００５２】
図１において、１は冷凍冷蔵庫を示しており、内部は、上方から冷蔵室３、野菜室５、冷凍室７となっていて、前面の扉９を開閉することで食料品等の出し入れが可能となっている。
【００５３】
冷凍室７は、野菜室５との間に設けられた仕切壁１１によって独立した庫内となっている。冷凍室７内には背壁面側に設けられた冷凍用冷却器１３からの冷気がファン１５によって送り込まれるようになっている。
【００５４】
なお、冷凍用冷却器１３は、空気が通過するフインと冷媒が流れる冷媒管とから成る蒸発器となっていて、圧縮機、凝縮器、絞り装置（いずれも図示していない）とで冷凍サイクルを構成し、フインとフインの間を通過する空気の熱を奪い冷気とするよう機能する。
【００５５】
冷蔵室３と野菜室５は、独立した冷蔵用冷却器１７によって冷却されるようになっていて、前記冷蔵用冷却器１７及び冷気送風用のファン１９は、背壁面に沿って設けられた冷気循環通路２１内にそれぞれ配置されている。
【００５６】
冷蔵用冷却器１７で熱交換された冷気は、矢印の如く冷蔵室３、野菜室５を通り、再び冷蔵用冷却器１７に戻る循環を繰返すようになっている。
【００５７】
なお、冷蔵用冷却器１７は、空気が通過するフインと冷媒が流れる冷媒管とから成る蒸発器となっていて、圧縮機、凝縮器、絞り装置（いずれも図示していない）とで冷凍サイクルを構成し、フインとフインの間を通過する空気の熱を奪い冷気とするよう機能する。
【００５８】
冷蔵室３は、内部に製氷室２３を有している。製氷室２３は、冷蔵庫本体の仕切壁より薄い製氷仕切壁２５により囲まれ、前方が開放されている。製氷室２３は、図３に示す如く冷蔵室３の壁面との間に隙間ｄを有して設けられている。隙間ｄにより、周囲に空気層が作られることで、外気温の影響が直接起きないようになっている。
【００５９】
製氷室２３の内部には、氷を作る製氷皿２７と、製氷皿２７で作られた氷をストックする貯氷ケース２９が設けられている。貯氷ケース２９は、排水の排出手段としてのドレン（図示していない）が接続され、ドレンを介して内部に溜った水の排水が可能となっている。
【００６０】
一方、冷蔵室３には、第１の空気流量調整器３１が、製氷室２３には、第２の空気流量調整器３３がそれぞれ設けられている。第１の空気流量調整器３１は、ダンパ開により、冷気循環通路２１からの冷気が冷蔵室３内へ送り込まれるようになっており、第１の空気流量調整器３１のダンパ開口量に比例した冷気供給量の制御が可能となる。
【００６１】
第２の空気流量調整器３３は、ダンパ開により、冷気循環通路２１からの冷気が製氷室２３内へ送り込まれるようになっており、第２の空気流量調整器３３のダンパ開口量に比例した冷気供給量の制御が可能となる。
【００６２】
このように構成された冷凍冷蔵庫によれば、冷蔵室用冷却器１７は−１８℃程度の温度で、冷蔵室３を３℃に保つように、ファン１９を運転する。この時、第２の空気流量調整器３３を全開に調整する事により冷蔵室３に流れる冷気の一部を製氷室２３に流す事により、冷気温度−１３℃程度の冷気を製氷室２３に循環する事ができる。これにより従来の冷凍室製氷並の製氷が可能となる。製氷完了後は、前記第２の空気流量調整器３３のダンパを閉じる方向に調整し、−１０℃前後の温度に保持する事で、冷凍室貯氷並の貯氷ができる。尚、製氷運転中に冷蔵室温度が冷えすぎた場合、又は冷凍室温度が上昇した場合は、冷蔵室運転から冷凍室運転に切り替わる。この時も、製氷運転は継続する必要があるため、冷蔵室用冷却器１７に冷媒を流し、冷蔵室３の冷却は第１の空気流量調整器３１のダンパを閉じて行わないようにして、冷凍室冷却と製氷運転を同時運転する。この時、冷蔵室用冷却器１７の温度も冷凍室用冷却器１３の温度と同じように低温度（例えば−２５℃）となるため、製氷室２３への冷気が冷えすぎて冷蔵室温度を低下させることが無いように、ファン１９の風量制御を行うなどの制御を行ない、冷蔵室庫内温度を適正に制御する。
【００６３】
また、出来上った氷を貯氷ケースに保存する貯氷時において、第２の空気流量調整器３３のダンパ開度を制御して、製氷室２３内に、冷蔵室３内とほぼ同等の冷気（２〜３℃）を送り込むようにする制御手段を有する。
【００６４】
これにより、氷は表面からゆっくりと融けるため、氷同志が接触していても、くっ付く事がない。融触し貯氷ケース２９に溜った水はドレン（図示していない）を介して外へ排水される。
【００６５】
一方、例えば、冷蔵庫３からむぎ茶を取り出し、コップに注いだ後、続いて製氷室２３から氷を取出すことができる。これら一連の動作は、冷蔵室３の扉９を開けるだけで、むぎ茶の取り出し、氷の取り出しが連続して行なえるようになり、使い勝手が良くなる。しかも、冷凍室７を開けることがないため省エネ運転となる。
【００６６】
なお、図４に示す如く、冷蔵室３の下に冷凍室７を配置し、その冷凍室７の天井一部分を、冷蔵室３内側へ張り出し、その張り出し部を、冷凍室７の冷気で氷を作る製氷室２４とし、冷蔵室３の扉９を開けることで、冷凍室７とは別に製氷室２４の氷を取り出せる構造としてもよい。
【００６７】
図５は製氷室２３へ冷気を送り込む専用のファン３５を設けた第２の実施形態を示したものである。
【００６８】
即ち、製氷室２３へ冷気を送り込む開閉可能な第２の空気流量調整器３３に代えて、製氷室２３へ強制的に冷気を送り込むファン３５を設けるものである。
【００６９】
ファン３５は、冷気の供給がゼロとなる停止時から、以下、回転数に対応して冷気の送風量が順次増加するようになっている。
【００７０】
また、図６に示す構成としてもよい。即ち、冷蔵用冷却器１７のファン１９と製氷室２３のファン３５とは、冷蔵室３と製氷室２３とへ送り込む送風経路ａ、ｂを有し、両送風経路ａ、ｂの分岐点ｃは、冷蔵用冷却器１７と両ファン１９，３５との間に設けられている。
【００７１】
これにより、冷蔵用冷却器１７からの冷気は、いずれか一方に片寄って送り込まれることはなく、両ファン１９，３５の回転数に比例した冷気を冷蔵室３と製氷室２３にそれぞれ送り出せるようになっている。
【００７２】
製氷室２３のファン３５は、図７に示す如く、製氷皿２７の底面に設けられた代表温度検知装置３７からの検知信号によって、検知温度が０℃に近い温度に達した時点で、風速を増加させるよう設定され、波打ち状態で製氷皿２７内の表面が冷凍するのを防ぐようになっている。
【００７３】
即ち、水または氷が製氷室２３でＱkcalの大きさの熱量を奪われるとしたとき、水または氷の温度Ｔは次の式であらわせる。また、グラフでは図８の実線のようになる。
【００７４】
［１］温水→０℃の水
Ｑ＝ｍＣ（Ｔ−Ｔｏ）
Ｔ＝（Ｑ／ｍＣ）＋Ｔｏ
Ｔｏ：空気温度℃  ｍ：水の質量kg  Ｃ：水の等圧比熱kcal/kg℃
［２］０℃の水→０℃の氷
Ｔ＝Ｃｏｎｓｔａｎｔ
［３］０℃の氷→零下の氷
Ｑ＝ｍＣ’（Ｔ−Ｔｏ）
Ｔ＝（Ｑ／ｍＣ’）＋Ｔｏ
Ｃ’：氷の等圧比熱kcal/kg℃
したがって、製氷皿２７の裏面に製氷の状態を監視するための代表温度検出装置３７を備えていると、ここの検知温度は図８の破線のように推移する。
【００７５】
さて、製氷皿３７では水面に冷風を流す構成をとっているため、上記検知温度の時間変化が完全になくなる以前にその表面は製氷が進んでいる。したがって、検知温度が変化を失う温度よりも若干高めの所定温度を予め設定しておき、上記検知温度が所定温度を下回った時点でファン３５の回転速度を増加させても、氷の表面が乱れること無く素早い製氷ができる。
【００７６】
また、上記構成で検知温度が所定の温度を下回った後、決められた一定の時間だけ待ってファン３５の回転速度を増加させることで、氷表面の乱れを生じることなく素早く製氷ができる。
【００７７】
さらに、上記構成で検知温度の時間変化幅が所定の大きさより小さくなった時点を境にファン３５の回転速度を増加させる制御も、氷表面の乱れを避ける有効な方法になる。
【００７８】
なお他の構成要素は第１の実施形態と同一のため同一符号を符して詳細な説明を省略する。
【００７９】
このように構成された、第２の実施形態によれば、第１の実施形態の効果に加えて、ファン３５の冷気の送風量が小さい低速から、冷気の送風量が大きい高速回転への運転制御により、製氷室２３へ製氷に必要な冷気温度−１３℃及び貯氷に必要な冷気温度−１０℃を適確に送り込むことが可能となり、製氷室２３への正確な冷気の供給が制御できる。この結果、迅速に氷を作ることができると共に、氷を確実にストックできる。
【００８０】
一方、ファン３５の風速は、製氷皿２３の表面において、若干製氷が進んだ状態で増加するため、風による波打ちは起こらず、表面の平らな氷が得られる。
【００８１】
図９は、製氷皿２７に集中して冷気を当てて素早く製氷ができるようにした第３の実施形態を示したものである。
【００８２】
即ち、製氷室２７へ集中して冷気を吹出口４１ａから吹き出す冷気ダクト４１を、製氷室２７へ冷気を送り込むファン３５と接続するものである。
【００８３】
この場合、冷気ダクト４１からの吹き出しを図１０に示す如く製氷皿２７の長手方向から行なうようにしてもよく、あるいは、図１１に示す如く製氷皿２７の側方から吹き出すようにしてもよい。
【００８４】
製氷皿２７の側方から冷気を吹き出す手段としては、図１２に示す如く、冷気ダクト４１を製氷皿２７の側方に沿って配置する一方、冷気ダクト４１に、製氷皿２７の上面と下面に沿って冷気を吹き出す上部吹出口４３と下部吹出口４５とを設ける。
【００８５】
冷気ダクト４１は、内部に点線で示す如く斜めに案内板４７が挿入され、流路断面積が風上側（矢印）が最大で以下、風下側に向かって順次小さくなるよう設定されている。これにより、風上側から風下側の全領域にわたって、ほぼ均一な風速と流量の吹出しが確保されるようになっている。
【００８６】
製氷皿２７は、駆動部４９によって１８０度回転し、反転及び復帰が可能となっており、製氷完了後、１８０度反転することで、下方の貯氷ケース２９内へ落下させ、貯氷ケース２９による氷のストックが可能となっている。製氷皿２７の底面側には、前記冷気ダクト４１の下方吹出口４５からの冷気を製氷皿２７の底面に沿って確実に案内する冷気案内板５１が２箇所の取付部（連結部材）５３，５３を介して取付けられている。
【００８７】
冷気案内板５１は、図１３に示す如く、製氷皿２７の回転半径Ｒ内に収まる寸法に設定され、製氷皿２７の回転時に、前記２箇所の取付部５３，５３によってねじり剛性が確保され、製氷皿２７の破損を防止するようになっている。
【００８８】
なお、他の構成要素は第１の実施形態と同一のため、同一符号を符して詳細な説明を省略する。
【００８９】
このように構成された第３の実施形態によれば、第１の実施形態の効果に加えて、製氷皿２７の全領域に対して、上面及び下面にほぼ均一に効率よく集中して冷気を流すことができるため、氷を迅速に作ることができる。
【００９０】
図１４は、製氷皿２７を製氷用冷却器５５によって直接冷却し氷を作るようにした第４の実施形態を示したものである。
【００９１】
即ち、冷凍用冷却器１３、冷蔵用冷却器１７の外に、第３の製氷用冷却器５５を設けるものである。
【００９２】
図１５にその回路図を示す。圧縮機５７から吐出された冷媒が、凝縮器５９，第１の絞り装置６１、第２の絞り装置６３、冷凍用冷却器１３を通り、再び圧縮機５７に戻ることで、冷凍用冷却器１３により冷凍室７を冷気で冷やす第１の冷凍サイクル（電磁弁６５を閉じている状態）が構成される。また、圧縮機５７から吐出された冷媒が、凝縮器５９、第１の絞り装置６１、電磁弁６５、冷蔵用冷却器１７、製氷用冷却器５５、冷凍用冷却器１３を通り、再び圧縮機５７に戻ることで、冷蔵室３、製氷室２３を独立して冷やすことができる第２の冷凍サイクル（電磁弁６５を開いた状態）が構成されるようになっている。
【００９３】
冷蔵室用冷却器１３のファン１５及び冷凍室用冷却器１７のファン１９は低速から高速まで回転制御可能となっている。
【００９４】
なお、他の構成要素は、第１の実施形態と同一のため、同一符号を符して詳細な説明を省略する。
【００９５】
かかる構成の第４の実施形態によれば、通常の冷却運転では、冷凍室７、冷蔵室３、野菜室５、製氷室２３をそれぞれ必要な温度状態に保つように、第１の冷凍サイクル運転又は第２の冷凍サイクル運転を制御して冷気の分配を行う。特に図１４に示す冷蔵室３は第１の空気流量調整器３１のダンパ開閉制御により冷気流量を調整して冷蔵室温度を保つようにできる。冷凍室７は温度が設定温度になると、圧縮機５７を停止して第１の冷凍サイクルに流れる冷媒循環を止めると共にファン１５を停止する。一方、製氷のデマンドが発生すると、製氷皿２７に注水されると共に、圧縮機５７を運転すると共に電磁弁６５を開いて第２の冷凍サイクル運転に入る。ここで、冷凍室７、冷蔵室３の冷却負荷に応じて、ファン１５，１９の風量を制御する。製氷室専用冷却器５５は約−１５℃レベルに冷されるため、ファンクール空気による製氷室吹き出し温度が冷蔵室吹き出し温度並み（−５〜−１０℃）と高く、風量も少なくとも、専用冷却器５５により直接製氷皿２７を冷却する事で、製氷能力を確保できる。製氷が完了すると共に、製氷室専用冷却器５５への冷媒循環を停止し、通常の冷却運転となる。貯氷は通常の製氷室吹き出し温度（−５〜−１０℃）で、融解する事はない。また、製氷用冷却器５５に製氷中に着氷や着霜が生じても、貯氷運転時は冷凍室用冷却器１３の温度が製氷用冷却器５５より低温に保たれ、冷気が循環するため、製氷用冷却器に付着した氷や霜は昇華して、蓄積する事はない。一方、貯氷している氷は、製氷用冷却器５５より下方に位置し、前記循環冷気の直接的な影響が無い構成となっていて、昇華はほとんど生じない。
【００９６】
一方、製氷用冷却器５５に冷媒を流し、製氷運転に入ると同時に、第２の空気流量調整器３３を調整して冷気温度を０℃レベルとする。製氷用冷却器５５の温度は−１５℃レベルであり、製氷皿２７の熱抵抗があっても、水は空気側からは凍らないため、製氷皿２７の内側の水から凍り始める。このように、水の凍り方が、１方向から進む場合は、水の中の空気が氷の中に閉じ込められることが無く、最後は製氷皿２７の水と空気との界面から脱気される。よって、透明で硬い氷を迅速に作ることができる。しかも、見た目も良いなどのメリットが得られる。また、製氷完了と同時に、製氷用冷却器５５への冷媒の循環が停止され、通常冷却運転に戻る。同時に、第２の空気流量調整器３３は、貯氷に適した−５〜−１０℃レベルとなるダンパ開度に調整され、氷のストック運転に入る動作を繰返す。
【００９７】
図１６は、冷蔵室に占有スペースをとることなく給水タンク６７の設置を可能とした第５の実施形態を示したものである。
【００９８】
即ち、冷蔵室３と野菜室５との仕切壁６９に、給水タンク設置用のタンク収納部７１を設け、そのタンク収納部７１に吸水タンク６７を配置する。給水タンク６７内の水は、給水ポンプ７３を介して製氷皿２７へ供給可能となっている。
【００９９】
給水ポンプ７３は、駆動部４９によって製氷皿２７が反転し、下方の貯氷ケース２９内へ氷を落下させ、空になった製氷皿２７内へ給水を行なうもので、製氷皿２７の復帰後、図外のタイマーにより所定時間オン・オフ自在に制御可能となっている。
【０１００】
なお、他の構成要素は、第１の実施形態と同一のため、同一符号を符して詳細な説明を省略する。
【０１０１】
このように構成された、第５の実施形態によれば、第１の実施形態の効果に加えて、給水タンク６７を仕切壁６９のタンク収納部７１内に配置してあるので、冷蔵室に占有スペースをとることなく設置できるので容積効率を向上できると共に、製氷皿２７は、氷を落下させ、空になると給水タンク６７からの水が再び供給される。この時、給水タンク６７と製氷皿２７は、近い距離にあるため、余分な断熱が不要となるなど効率のよい配管が出来る。また、給水タンク６７の凍結防止用ヒータを用いる必要がなくなり、低コスト化、省エネ性に優れる。
【０１０２】
特に、この第５の実施形態にあっては、図１７に示す如く製氷室２３に、内扉７５を設けるようにすることが望ましい。この場合、内扉７５を、冷蔵室３の扉９の一部領域に設けた製氷扉７７と連動して同時に開け閉め出来るようにすることで、冷気の逃げを最小に抑えた状態で氷を取出すことが出来る。これにより、省エネに優れると共に、冷蔵室３の臭いは、内扉７５によって遮断され、臭いのないおいしい氷を作ることができる。
【０１０３】
また、図１９、図２０に示す如く、冷蔵室３の扉９の一部分に、コップ受け部７９を設け、そのコップ受け部７９の上方に、砕いた氷をコップ受け部７９のコップ８１に供給するクラッシュアイス装置８３や冷えた水をコップ８１に注入する注水装置８５を設けるようにしてもよい。
【０１０４】
これにより、クラッシュアイス装置８３は０℃付近の比較的高い雰囲気中に設置可能となるため、特別な断熱手段を必要とすることなく潤滑や駆動が容易になる。しかも、安価に出来る。
【０１０５】
また、各操作ボタン８７，８８を操作することで、冷えた水、あるいは砕かれた氷が扉９をあけることなく得られるようになり、使い勝手がさらに拡がる。
【０１０６】
【発明の効果】
以上、説明したように、この発明の冷凍冷蔵庫によれば、１つの庫内において温度帯の異なる冷蔵室として、あるいは、製氷室としてそれぞれ同時に使用できると共に冷蔵室の扉をあけることで、冷蔵室内の取り出しと同時に、製氷室から氷を取り出すことができるようになり、冷蔵庫としての使い勝手が向上するようになる。また、１つの扉の開閉で済むため省エネ運転が可能となり、電気使用量の面でも大変好ましいものとなる。
【図面の簡単な説明】
【図１】この発明にかかる冷凍冷蔵庫の概要説明図。
【図２】冷蔵室と野菜室の冷気の流れを示した回路説明図。
【図３】冷凍冷蔵庫を正面から見た説明図。
【図４】冷凍室の上方の一部を、冷蔵室内へ張り出し、その張り出し部を、製氷室とし、冷蔵室側から氷の取り出しを可能とした冷凍冷蔵庫の概要説明図。
【図５】製氷室に直接冷気を送り込む製氷用のファンを設けた実施形態の冷凍冷蔵庫を示す概要説明図。
【図６】冷蔵用冷却器からの冷気を、各ファンによって冷蔵室と製氷室とへほぼ均等に送り込めるようにした説明図。
【図７】製氷皿の底部に、製氷状態を監視する代表温度検知装置を設けた説明図。
【図８】氷の実温度と代表点温度を示した説明図。
【図９】製氷室の製氷皿へ冷気ダクトにより集中して送風できるようにした実施形態の冷凍冷蔵庫を示す概要説明図。
【図１０】製氷皿に対して長手方向から冷気を吹き出すようにした概要説明図。
【図１１】製氷皿に対して側方から冷気を吹き出すようにした概要説明図。
【図１２】製氷皿の底部に、冷気ダクトからの冷気を底部へ案内する冷気案内板を設けるようにした概要斜視図。
【図１３】冷気案内版を取付けた製氷皿の上面と下面に冷気を吹き出すようにした動作説明図。
【図１４】製氷皿に専用の製氷皿用冷却器を設けた実施形態の冷凍冷蔵庫を示す概要説明図。
【図１５】図１４の冷凍サイクルを示す回路図。
【図１６】冷蔵室と野菜室との仕切壁に給水タンクを配置した実施形態の冷凍冷蔵庫を示す概要説明図。
【図１７】図１６の製氷室に内扉を、冷蔵室の扉に前記内扉と連動し合う製氷扉を設けた概要説明図。
【図１８】図１７の冷凍冷蔵庫の正面図。
【図１９】冷蔵室の扉に、コップ受け部と、クラッシュアイス装置と注水装置を設けた冷凍冷蔵庫の概要説明図。
【図２０】図１９の冷凍冷蔵庫の正面図。
【符号の説明】
３  冷蔵室
５  野菜室
７  冷凍室
１７  冷却器
２３  製氷室
【図１】
0003688892.tif 000002
【図２】
0003688892.tif 000003
【図３】
0003688892.tif 000004
【図４】
0003688892.tif 000005
【図５】
0003688892.tif 000006
【図６】
0003688892.tif 000007
【図７】
0003688892.tif 000008
【図８】
0003688892.tif 000009
【図９】
0003688892.tif 000010
【図１０】
0003688892.tif 000011
【図１１】
0003688892.tif 000012
【図１２】
0003688892.tif 000013
【図１３】
0003688892.tif 000014
【図１４】
0003688892.tif 000015
【図１５】
0003688892.tif 000016
【図１６】
0003688892.tif 000017
【図１７】
0003688892.tif 000018
【図１８】
0003688892.tif 000019
【図１９】
0003688892.tif 000020
【図２０】
0003688892.tif 000021